(57)【特許請求の範囲】
【請求項１】
原稿の画像を読み取った複数枚の画像データ又はホスト装置から送られた複数枚の画像データに付加情報を作成して印刷する画像形成方法において、
１枚目の画像データに対しては、画像の向きに応じて指定された位置を付加情報作成位置として画像を形成し、
２枚目以降の画像データに対しては、２枚目以降の画像の主走査方向又は副走査方向の幅が１枚目の画像の主走査方向又は副走査方向の幅のいずれかと一致しているかどうかを判断し、２枚目以降の画像の主走査方向又は副走査方向の幅が１枚目の画像の主走査方向又は副走査方向の幅のいずれかと一致しているとき、２枚目以降の画像データに対しては１枚目の画像の付加情報作成位置の走査方向の幅と一致する主走査方向又は副走査方向のいずれかを付加情報作成位置として画像を形成し、２枚目以降の画像の主走査方向又は副走査方向の幅のいずれも１枚目の付加情報作成位置の走査方向の幅と一致しないとき、画像の向きに応じて指定された位置を付加情報作成位置とすることを特徴とする画像形成方法。
【請求項２】
上記２枚目以降の付加情報作成位置を定めるときに、２枚目以降の画像の主走査方向の長さが１枚目の付加情報作成位置の走査方向の長さと異なるとき、画像を回転して付加情報作成位置の走査方向の長さを１枚目の付加情報作成位置の走査方向の長さと一致させる請求項１記載の画像形成方法。
【請求項３】
上記付加情報はページ番号等の印字又は綴じ代の作成である請求項１又は２記載の画像形成方法。
【請求項４】
上記画像データを印刷するときに、ステープルモード又はパンチモードが選択された場合、上記ページ番号等の印字位置揃えを自動的に実行する請求項３記載の画像形成方法。
【請求項５】
上記画像データを印刷するときに、ステープルモード又はパンチモードが選択された場合、上記綴じ代位置揃えを自動的に実行する請求項３記載の画像形成方法。
【請求項６】
上記画像データを印刷するときに、ステープルモード又はパンチモードが選択された場合、上記ページ番号等の印字位置及び綴じ代位置揃えを自動的に実行する請求項３記載の画像形成方法。
【請求項７】
上記付加情報はパンチの作成である請求項１又は２記載の画像形成方法。
【請求項８】
請求項１乃至７のいずれかに記載の画像形成方法の制御プログラムを格納したことを特徴とする記憶媒体。
【請求項９】
原稿の画像を読み取った複数枚の画像データ又はホスト装置から送られた複数枚の画像データに付加情報を作成して印刷する画像形成装置において、
１枚目の画像データに対しては、画像の向きに応じて指定された位置を付加情報作成位置として画像を形成し、
２枚目以降の画像データに対しては、２枚目以降の画像の主走査方向又は副走査方向の幅が１枚目の画像の主走査方向又は副走査方向の幅のいずれかと一致しているかどうかを判断し、２枚目以降の画像の主走査方向又は副走査方向の幅が１枚目の画像の主走査方向又は副走査方向の幅のいずれかと一致しているとき、２枚目以降の画像データに対しては１枚目の画像の付加情報作成位置の走査方向の幅と一致する主走査方向又は副走査方向のいずれかを付加情報作成位置として画像を形成し、２枚目以降の画像の主走査方向又は副走査方向の幅のいずれも１枚目の付加情報作成位置の走査方向の幅と一致しないとき、画像の向きに応じて指定された位置を付加情報作成位置とする画像形成装置。
【請求項１０】
上記２枚目以降の付加情報作成位置を定めるときに、２枚目以降の画像の主走査方向の長さが１枚目の付加情報作成位置の走査方向の長さと異なるとき、画像を回転して付加情報作成位置の走査方向の長さを１枚目の付加情報作成位置の走査方向の長さと一致させる請求項９記載の画像形成装置。
【請求項１１】
上記付加情報はページ番号等の印字又は綴じ代の作成である請求項９又は１０記載の画像形成装置。
【請求項１２】
上記画像データを印刷するときに、ステープルモード又はパンチモードが選択された場合、上記ページ番号等の印字位置揃えを自動的に実行する請求項１１記載の画像形成装置。
【請求項１３】
上記画像データを印刷するときに、ステープルモード又はパンチモードが選択された場合、上記綴じ代位置揃えを自動的に実行する請求項１１記載の画像形成装置。
【請求項１４】
上記画像データを印刷するときに、ステープルモード又はパンチモードが選択された場合、上記ページ番号等の印字位置及び綴じ代位置揃えを自動的に実行する請求項１１記載の画像形成装置。
【請求項１５】
上記付加情報はパンチの作成である請求項９又は１０記載の画像形成装置。
【請求項１６】
上記パンチを作成するときに、搬送される記録紙の固定した一辺にのみパンチ穴を形成可能な後処理装置を備えた場合、画像の出力時に主走査方向又は副走査方向の辺の長さが同じになる記録紙を全ての画像に対して選択する請求項１５記載の画像形成装置。
【請求項１７】
上記主走査方向又は副走査方向の辺の長さが同じになる記録紙を選択できないとき、ジョブを中断し警告を促す請求項１６記載の画像形成装置。
【発明の詳細な説明】
【０００１】
【発明の属する技術分野】
この発明は、複写機やプリンタ装置等で複数枚の原稿を１部として印刷する場合、ページ番号等を印字する位置や綴じ代の位置又はパンチの位置を付加情報として作成して印刷する画像形成方法とページ番号等を印字する位置や綴じ代等の付加情報作成位置の制御プログラムを格納した記憶媒体及び画像形成装置、特に画像の向きやサイズが混載している原稿に対して適切な位置にページ番号等を印字したり綴じ代の位置やパンチの位置を作成することに関するものである。
【０００２】
【従来の技術】
複写機等で複数枚の原稿の画像を印刷して編集するときに、ページ番号等を印字したり綴じ代やパンチを付加して記録紙に画像形成を行なう場合、通常は原稿の画像の向きに対してページ番号等を印字する位置や綴じ代やパンチの位置を定めて画像を形成している。この方法は画像の向きやサイズが混載している複数の原稿においても、ユーザの指定位置と実際のページ番号等の印字位置や綴じ代等の作成位置の関係が明確であるという利点がある。
【０００３】
【発明が解決しようとする課題】
しかしながらポートレイト画像とランドスケープ画像のように画像の向きが異なったり、複数の紙サイズが混載しているような原稿に対してページ番号等を印字したり、綴じ代やパンチを作成すると、ページ番号や綴じ代等の位置が揃わないという短所があった。
【０００４】
この短所を補うために、自動用紙選択又はユーザが選択した記録紙に対して、その記録紙の指定された辺にページ番号や綴じ代等を作成する方法が考えられる。この作成方法を用いることにより、画像の向きが異なったり、異なるサイズが混載している原稿に対してもページ番号や綴じ代等の位置を揃えた仕上りを得ることができる。しかしながら、この方法は、画像の向きを考慮してページ番号や綴じ代等を作成できないため、画像の向きが異なる原稿などにおいては、あらかじめ画像の向きを揃えておかなければならず、また、各原稿の画像の向きと選択される記録紙の方向を考慮してページ番号や綴じ代等の位置を設定する必要があり、ユーザがページ番号や綴じ代等の位置を設定するのに非常に手間がかかるという短所がある。
【０００５】
この発明は係る短所を改善し、ユーザが画像向きを考慮したり選択される記録紙の方向を意識せずに、画像の向きやサイズが混載している原稿の画像に対しても、出力された記録用紙の長手方向又は短手方向の少なくともどちらか一方の長さが揃う辺で全ての出力画像を揃えたとき、ページ番号の印字位置や綴じ代又はパンチの位置が全て揃うようにページ番号を印字する位置や綴じ代又はパンチを形成する位置を決定する画像形成方法その制御プログラムを格納した記憶媒体及び画像形成装置を提供することを目的とするものである。
【０００６】
【課題を解決するための手段】
この発明に係る画像形成方法は、原稿の画像を読み取った複数枚の画像データ又はホスト装置から送られた複数枚の画像データに付加情報を作成して印刷する画像形成方法において、１枚目の画像データに対しては、画像の向きに応じて指定された位置を付加情報作成位置として画像を形成し、２枚目以降の画像データに対しては、２枚目以降の画像の主走査方向又は副走査方向の幅が１枚目の画像の主走査方向又は副走査方向の幅のいずれかと一致しているかどうかを判断し、２枚目以降の画像の主走査方向又は副走査方向の幅が１枚目の画像の主走査方向又は副走査方向の幅のいずれかと一致しているとき、２枚目以降の画像データに対しては１枚目の画像の付加情報作成位置の走査方向の幅と一致する主走査方向又は副走査方向のいずれかを付加情報作成位置として画像を形成し、２枚目以降の画像の主走査方向又は副走査方向の幅のいずれも１枚目の付加情報作成位置の走査方向の幅と一致しないとき、画像の向きに応じて指定された位置を付加情報作成位置とすることを特徴とする。
【０００７】
この発明に係る画像形成装置は、原稿の画像を読み取った複数枚の画像データ又はホスト装置から送られた複数枚の画像データに付加情報を作成して印刷する画像形成方法において、１枚目の画像データに対しては、画像の向きに応じて指定された位置を付加情報作成位置として画像を形成し、２枚目以降の画像データに対しては、２枚目以降の画像の主走査方向又は副走査方向の幅が１枚目の画像の主走査方向又は副走査方向の幅のいずれかと一致しているかどうかを判断し、２枚目以降の画像の主走査方向又は副走査方向の幅が１枚目の画像の主走査方向又は副走査方向の幅のいずれかと一致しているとき、２枚目以降の画像データに対しては１枚目の画像の付加情報作成位置の走査方向の幅と一致する主走査方向又は副走査方向のいずれかを付加情報作成位置として画像を形成し、２枚目以降の画像の主走査方向又は副走査方向の幅のいずれも１枚目の付加情報作成位置の走査方向の幅と一致しないとき、画像の向きに応じて指定された位置を付加情報作成位置とすることを特徴とする。
【０００８】
上記２枚目以降の付加情報作成位置を定めるときに、２枚目以降の画像の主走査方向の長さが１枚目の付加情報作成位置の走査方向の長さと異なる場合、画像を回転して付加情報作成位置の走査方向の長さを１枚目の付加情報作成位置の走査方向の長さと一致させると良い。
【００１０】
上記付加情報はページ番号等の印字又は綴じ代の作成であったりパンチの付加である。
【００１１】
また、画像データを印刷するときに、ステープルモード又はパンチモードが選択された場合、上記ページ番号等の印字位置揃えや、綴じ代位置揃え又はページ番号等の印字位置及び綴じ代位置揃えを自動的に実行することが望ましい。
【００１２】
さらに、パンチを作成するときに、搬送される記録紙の固定した一辺にだけ穴を開けられない後処理装置を備えた場合、画像の出力時に主走査方向又は副走査方向の辺の長さが同じになる記録紙を全ての画像に対して選択すると良い。また、主走査方向又は副走査方向の辺の長さが同じになる記録紙を選択できないとき、ジョブを中断し警告を促すことが望ましい。
【００１３】
また、上記画像形成方法の制御プログラムを記憶媒体に格納しておくことにより、既設の画像形成装置にも適用することができる。
【００１４】
【発明の実施の形態】
この発明のデジタル複写機は複写機本体と原稿自動送り装置（以下、ＡＤＦという）と自動仕分け装置とを有する。複写機本体は原稿読取ユニットと書込ユニットとエンジン部と給紙ユニットを有し、原稿読取ユニットで読み取った画像データにより記録紙に画像を形成する。
【００１５】
このデジタル複写機で原稿の画像を読み取った複数枚の画像データに例えば綴じ代を作成して印刷するとき、１枚目の画像データに対しては、画像の向きに応じて指定された位置に綴じ代を作成して画像を形成する。２枚目以降の画像データに対しては１枚目の画像の綴じ代と一致する主走査方向又は副走査方向のいずれかに綴じ代を作成し、１枚目の綴じ代と２枚目以降の綴じ代の長さを自動的に揃える。
【００１６】
【実施例】
図１はこの発明の一実施例の構成図である。図に示すように、デジタル複写機１は複写機本体２と原稿自動送り装置（以下、ＡＤＦという）３と自動仕分け装置４とを有する。複写機本体２は原稿読取ユニット５と書込ユニット６とエンジン部７と給紙ユニット８を有する。原稿読取ユニット５は光源と複数のミラーを有するキャリッジ９とレンズ１０とＣＣＤ１１及びバッファ１２を有し、ＡＤＦ３から送られた原稿を走査して読み取る。書込ユニット６はレーザ光源やポリゴンミラー等を有し、画像情報を含むレーザビーム１３をエンジン部７に出射する。エンジン部７は、図２の構成図に示すように、画像形成ユニット１４と１次転写ユニット１５と２次転写ユニット１６及び定着ユニット１７を有する。画像形成ユニット１４は、感光体１８の周囲に配置された帯電チャージャ１９と書込ユニット６からのレーザビーム１３の照射部とシアン（Ｃ），マゼンタ（Ｍ），イエロー（Ｙ），ブラック（Ｋ）からなるカラー現像部２０及びドラムクリーニング部２１を有し、帯電チャージャ１９で帯電した感光体１８上にレーザビーム１３で静電潜像を形成し、形成した静電潜像をカラー現像部２０で可視化してトナー像を形成する。１次転写ユニット１５は中間転写ベルト２２と１次転写部２３とテンションローラ２４と２次転写ローラ２５とクリーニング部２６及び基準位置センサ２７を有し、感光体１８に形成されたトナー像を中間転写ベルト２２に１次転写する。中間転写ベルト２２は、デジタル複写機１における最大記録紙サイズであるＡ３よりも大きく形成されており、使用する記録紙がＡ４サイズ以下の場合には、２面分のトナー像を保持することができる。この中間転写ベルト２２は感光体１８上のトナー像を１次転写するとき以外は図示しない接離機構によって感光体１８表面から離れ、中間転写ベルト２２に画像を１次転写するときだけ感光体１８の表面に圧接される。２次転写ユニット１６は中間転写ベルト２２に転写されたトナー像を記録紙に２次転写する。定着ユニット１７は記録紙に転写されたトナー像を熱と圧力で定着する。給紙ユニット８は複数の給紙カセット２８ａ〜２８ｃと手差トレイ２９を有し、記録紙を２次転写ユニット１６に送る。
【００１７】
ＡＤＦ３は読み取る原稿を原稿読取ユニット５に送り、原稿読取ユニット５で読み取った原稿を回収する。自動仕分け装置４は複数段の仕分けビン３０ａ〜３０ｎを有し、画像が形成された記録紙を仕分けして排出する。
【００１８】
このデジタル複写機１の制御部１００には、図３のブロック図に示すように、中央制御部１０１と原稿サイズ検出手段１０２と方向検索手段１０３と画像メモリ１０４及びエンジン制御部１０５を有する。中央制御部１０１は原稿読取ユニット５から入力した画像データを印刷するときに、操作部３１から入力する各種印刷条件で装置全体の動作を管理し、演算処理を行うＣＰＵや、プログラムを記憶するＲＯＭや、演算結果を一時的に記憶するＲＡＭ等からなる。なお、ＲＯＭは電気的に消去や書込み可能なＥＥＰＲＯＭやフラッシュメモリとすると良い。原稿サイズ検出手段１０２は原稿読取ユニット５にセットされた原稿のサイズを検出する。方向検索手段１０３は原稿サイズ検出手段１０２で検出した原稿サイズから原稿読取ユニット５にセットされた原稿の方向が縦方向で有るか横方向であるかを検索する。ここで縦方向とは主走査が短手で副走査方向が長手となる状態をいう。これに対し原稿縦置きと言った場合は、主走査奉公が長手、副走査方向が短手となる。これはキャリッジ９の移動方向がユーザから見て左右方向となるため、ユーザから見た縦横とキャリッジ９から見た縦横が逆転するためである。ない、原稿サイズ及び原稿セット方向の検知方法は周知の技術であるので詳細は省略する。
【００１９】
操作部３１には、コピーモードを設定するための複数のモードキーとコピー枚数を設定するためのテンキーとコピー動作を行うためのプリントキーとコピー動作を中断させるストップキー及び試し印刷を行う試し印刷キーが配置されている。モードキーには倍率を変更する倍率キーや、用紙を変更する用紙キー、濃度を変更する濃度キー、原稿向きを設定するための原稿方向キー、ステープルモードの選択と位置指定のためのステープル設定キー、パンチモードの選択と位置指定のためのパンチ設定キー及び綴じ代やページ番号等の印字などを付加して印刷を行なうための綴じ代／印字設定キーや綴じ代位置や印字位置及びパンチの位置揃えの選択キーなどがある。ステープルやパンチ、綴じ代、印字などの位置の指定は、形成した画像が読める向きに対して行なう。すなわち、図９（ａ）に示すように、画像が正常に読める状態５１を基準として考え、この状態で記録紙４０の右側、左側のように指定を行うものとし、図９（ｂ）のように、画像が横向きになっている状態５２，５４や画像が逆向きになっているような状態５３に対しては記録紙４０に対して綴じ代位置等の指定を行わない。ユーザはこれらのキーを操作してコピーモードを設定し、原稿の画像を読み取らせ記録紙に転写させる。
【００２０】
このデジタル複写機１で原稿読取ユニット５で読み取った原稿の画像形成サイクルが始まると、形成する画像が１色の場合は、読み取った原稿の画像データにより感光体１８にトナー像を形成し、形成されたトナー像を中間転写ベルト２２に１次転写する。２次転写ユニット１６は中間転写ベルト２２に転写されたトナー像の先端に合わせて給紙された記録紙にトナー像を２次転写する。トナー像を転写した記録紙は定着ユニット１７に送られ加熱，加圧して定着される。トナー像が定着された記録紙は自動仕分け装置４に排出される。また、中間転写ベルト２２に残留しているトナーはクリーニング部２６で回収する。
【００２１】
形成する画像が２色以上の場合は、中間転写ベルト２２に設けた基準マークを基準位置センサ２７で検出したことを基準にして原稿読取ユニッ５で原稿を読み取り、読み取った画像データを制御部１００の中央制御部１０１に送るとともに画像メモリ１０４に格納する。中央制御部１０１は送られた画像データにより感光体１８に第１色目のトナー像を形成し、感光体１８に形成したトナー像を中間転写ベルト２２に１次転写する。引き続いて中央制御部１０１は画像メモリ１０４に格納された画像データにより感光体１８に第２色目のトナー像を形成し、感光体１８に形成したトナー像を中間転写ベルト２２に１次転写する。この感光体１８に対する画像形成と中間転写ベルト２２に対する１次転写を各色毎に繰り返す。すなわち、２色の画像を形成する場合には中間転写ベルト２２を２回転し、フルカラーの画像を形成する場合には中間転写ベルト２２を４回転して、各回転毎に感光体１８に形成されたトナー像を中間転写ベルト２２に１次転写して各色の画像を位置ずれなしに重ね合わせる。所定の色のトナー像を中間転写ベルト２２に転写したら、中間転写ベルト２２に転写されたトナー像の先端に合わせて給紙された記録紙にトナー像を２次転写し、定着ユニット１７で加熱，加圧して定着する。
【００２２】
また、基準サイズ例えばＡ４サイズで縦置きされた（主走査方向が長手方向となるように載置された）原稿の画像のトナー像を２面分同時に中間転写ベルト２２に転写する２面取りモードのときは、１面目のトナー像を中間転写ベルト２２に転写してから中間転写ベルト２２の周長と原稿サイズで定まる所定のタイミングをおいて２面目のトナー像を中間転写ベルト２２に転写する。フルカラーの画像を形成する場合には中間転写ベルト２２を４回転して、各回転毎に感光体１８に形成されたトナー像を中間転写ベルト２２に１次転写して各色の画像を位置ずれなしに重ね合わせる。所定の色のトナー像を中間転写ベルト２２に転写したら、中間転写ベルト２２に転写された各トナー像の先端に合わせて給紙された記録紙にトナー像を２次転写し、定着ユニット１７で加熱，加圧して定着して、画像が形成された２枚の記録紙を連続的に排出する。このようにして画像形成効率を高めることができる。
【００２３】
このデジタル複写機１でＡＤＦ３にセットされた複数の原稿の画像を読み取り、綴じ代位置揃えが指定されて綴じ代を作成して記録紙に複写する時の動作を図４のフローチャートを参照して説明する。
【００２４】
ユーザによりＡＤＦ３に複数の原稿がセットされた後、操作部３１により綴じ代作成と綴じ代位置揃え指定されて複写スタートキーが押し下げられると（ステップＳ１，Ｓ２）、ＡＤＦ３は１枚目の原稿を原稿読取ユニット５の読取位置に送る。この原稿読取ユニット５に送られた原稿のサイズを原稿サイズ検出手段１０２で検出して中央制御部１０１と方向検索手段１０３に送る（ステップＳ３）。方向検索手段１０３は送られた原稿サイズから読み取る原稿の方向が縦方向で有るか横方向であるかを検索して中央制御部１０１に送る（ステップＳ４）。原稿読取ユニット５は送られた原稿の画像を読み取り、読み取った画像データを中央制御部１０１に送る（ステップＳ５）。中央制御部１０１は送られた画像データが１枚目の原稿の画像データであるかどうかを判断し（ステップＳ６）、送られた画像データが１枚目の原稿の画像データであるときは、その画像データをそのまま画像メモリ１０４に記憶するとともに、その画像データをユーザが指定した綴じ代作成位置情報とともにエンジン制御部１０５に送る。エンジン制御部１０５は送られた綴じ代作成位置情報に基づきユーザが指定した位置に綴じ代を作成して画像を形成するようにエンジン部７を制御して画像を形成させる（ステップＳ７）。引き続いて原稿読取ユニット５に次の原稿が送られると（ステップＳ８）、原稿サイズ検出手段１０２で送られた原稿のサイズを検出して中央制御部１０１と方向検索手段１０３に送る（ステップＳ３）。方向検索手段１０３は送られた原稿サイズから読み取る原稿の方向が縦方向で有るか横方向であるかを検索して中央制御部１０１に送る（ステップＳ４）。原稿読取ユニット５は送られた原稿の画像を読み取り、読み取った画像データを中央制御部１０１に送る（ステップＳ５）。中央制御部１０１は読み取った画像データが送られると、送られた画像データが１枚目の原稿の画像データであるかどうかを判断し（ステップＳ６）、送られた画像データが１枚目の原稿の画像データでないときは、原稿サイズ検出手段１０２で検出した原稿サイズと方向検索手段１０３で検索した原稿の方向から、１枚目の原稿の画像と比較し、２枚目の原稿の画像の主走査方向の幅又は副走査方向の幅が１枚目の原稿の画像の主走査方向の幅又は副走査方向の幅と一致しているかどうかを判断する（ステップＳ９）。この判断の結果、２枚目の原稿の画像の主走査方向の幅又は副走査方向の幅が１枚目の原稿の画像の主走査方向の幅と副走査方向の幅のいずれかと一致している場合は、１枚目の画像を形成するときの綴じ代を作成した走査方向と同じ走査方向の幅が一致しているかどうかを判断する（ステップＳ１０）。例えば図５に示すように、１枚目の原稿４１がＡ４横で、その画像の左側すなわち主走査方向に綴じ代４３を作成したとき、図５（ａ）のように２枚目の原稿４２が同じくＡ４横であれば主走査方向と副走査方向ともに幅は一致する。また、図５（ｂ）のように、２枚目の原稿４２がＡ３縦であれば、１枚目の原稿４１とは主走査方向すなわち綴じ代４３を作成した走査方向の幅が一致する。このように１枚目で綴じ代４３を作成した走査と同じ走査方向について幅が一致している場合、２枚目の原稿４２の画像の向きが１枚目の原稿４１の画像の向きと同じか時計方向に２７０度回転した向きかどうかを判断する（ステップＳ１２）。この判断の結果、図５（ａ），（ｂ）に示すように、２枚目の原稿４２の画像の向きが１枚目の原稿４１の画像の向きと同じ場合は、１枚目の原稿４１と同じ位置である左側に綴じ代を作成して２枚目の原稿の画像を形成する（ステップＳ１４）。
【００２５】
また、図５（ｃ）に示すように、１枚目の原稿４１がＡ４サイズの横方向であり、画像の左側に綴じ代４３を作成したときに、２枚目の原稿４２がＡ３サイズの横方向である場合は、１枚目の主走査方向と２枚目の副走査方向が幅で一致するが、１枚目で綴じ代４３を作成した走査方向（主走査方向）同士では幅が一致しないので（ステップＳ１０）、２枚目の原稿４２の画像を時計方向に９０度回転してＡ３サイズの縦方向の画像４２ａとする（ステップＳ１１）。その後、画像４２の向きが１枚目の原稿４１の画像の向きと同じか時計方向に２７０度回転した向きかどうかを判断する（ステップＳ１２）。そして、図５（ｃ）に示すように、画像４２の向きが１枚目の原稿４１の画像の向きと同じでなく、かつ時計方向に２７０度回転した向きとも異なるときは、画像４２ａを更に１８０度回転させて、原稿４１の画像の向きに対して時計方向に２７０度回転した画像４２ｂとする（ステップＳ１３）。そして１枚目の原稿４１と同じ位置である左側に綴じ代を作成して２枚目の原稿の画像を形成する（ステップＳ１４）。
【００２６】
また、２枚目の原稿の画像の主走査方向の幅又は副走査方向の幅が１枚目の原稿の画像の主走査方向の幅又は副走査方向の幅と一致しているかどうかを判断した結果（ステップＳ９）、図５（ｄ）に示すように、１枚目の原稿４１がＡ４サイズの横方向であり、画像の左側に綴じ代４３を作成したときに、２枚目の原稿４２がＡ４サイズの縦方向であり、主走査方向の幅と副走査方向の幅が１枚目の原稿４１の主走査方向と副走査方向の幅と一致していない場合は、２枚目の原稿４２の画像を時計方向に９０度回転してＡ４サイズの横方向の画像４２ｃとする（ステップＳ１５）。その後、画像４２ｃについて１枚目の画像を形成するときの綴じ代を作成した走査方向と同じ走査方向の幅が一致しているかどうかを判断する（ステップＳ１６）。図５（ｄ）の例では原稿４１と画像４２ｃで主走査方向の幅が一致するので、次に画像４２ｃの向きが１枚目の原稿４１の画像の向きと同じか時計方向に２７０度回転した向きかどうかを判断する（ステップＳ１２）。この場合、画像４２ｃは原稿４１に対して９０度回転しているので、画像４２ｃを更に１８０度回転させて、原稿４１の画像の向きに対して時計方向に２７０度回転した画像４２ｄとする（ステップＳ１３）。そして１枚目の原稿４１と同じ位置である左側に綴じ代を作成して２枚目の原稿の画像を形成する（ステップＳ１４）。
【００２７】
また、図５（ｅ）に示すように、１枚目の原稿４１がＡ４サイズの横方向であり、画像の左側に綴じ代４３を作成したときに、２枚目の原稿４２が例えばＢ５サイズの横方向であり、主走査方向の幅と副走査方向の幅が１枚目の原稿４１の主走査方向と副走査方向の幅と一致していない場合は、２枚目の原稿４２の画像を時計方向に９０度回転してＢ５サイズの縦方向の画像４２ｅとする（ステップＳ１５）。その後、画像４２ｅについて１枚目の画像を形成するときの綴じ代を作成した走査方向と同じ走査方向の幅が一致しているかどうかを判断する（ステップＳ１６）。図５（ｅ）の例では原稿４１と画像４２ｅで主走査方向の幅が一致しないので、画像４２ｅを時計方向に２７０度回転して元の原稿４２と同じ向きの画像４２ｆとし（ステップＳ１７）、１枚目の原稿４１の綴じ代４３と同じ位置である左側に綴じ代を作成して２枚目の原稿の画像を形成する（ステップＳ１４）。
【００２８】
この綴じ代作成位置制御を全ての原稿に対して繰り返すことにより、原稿の画像の主走査方向の幅又は副走査方向の幅が一致している全ての原稿の綴じ代の幅を自動的に同じに揃えて作成することができるとともに画像の向きをあわせることができる。また、例えばＡ３サイズの原稿とＡ４サイズの原稿にＢ５サイズの原稿が混載されており、原稿の主走査方向の幅又は副走査方向の幅が１枚目の原稿の画像の主走査方向の幅又は副走査方向の幅と一致していない場合は、画像の向きを合わせて綴じ代を作成することができる。
【００２９】
また、図６のフローチャートに示すように、操作部３１により複写スタートをしたときにステープルモード又はパンチモードが選択されている場合（ステップＳ２１，Ｓ２２）、無条件に前記綴じ代作成位置制御を行なう（ステップＳ２３）。この綴じ代作成位置制御は図４及び図５で説明したも野と同様な制御である。このようにしてステープルやパンチにより綴じられる記録紙の綴じ代の位置を自動的に揃えることができる。また、ステープルモード又はパンチモードが選択されていなく綴じ代作成だけが選択されている場合（ステップＳ２５）、綴じ代作成位置制御を行い、１枚目の綴じ代と一致させる（ステップＳ２３，Ｓ２４，Ｓ２２，Ｓ２５）。さらに、ステープルモード又はパンチモードが選択されていなく、綴じ代位置制御が選択されずに綴じ代作成が指定されている場合は、各画像毎に指定された位置に綴じ代を作成する（ステップＳ２５，Ｓ２６）。
【００３０】
上記実施例は複数の原稿の画像を形成して１部毎に製本する等の場合に、綴じ代と画像の向きを自動的に合わせる場合について説明したが、例えば形成する画像にページ番号等を印字する場合や形成した画像を転写した記録紙に後処理装置でパンチを付加する場合も、上記実施例と同様な処理によりページ番号を印字する位置やパンチを付加する位置と画像の向きを自動的に合わせることができる。
【００３１】
また、画像を形成した記録紙にパンチを付加する場合、記録紙の固定した１辺にのみにしかパンチを行えない後処理装置が多い。このような後処理装置を有するデジタル複写機１においてパンチ位置揃えが選択されたとき、前記のように記録紙の任意の辺にパンチを付加する位置を定めることはできない。この場合、パンチ位置揃えが選択されたときは、画像の出力時に主走査方向又は副走査方向の辺の長さが同じになる記録紙を全ての画像に対して選択する。この記録紙の選択処理を図７のフローチャートを参照して説明する。
【００３２】
操作部３１でパンチ位置揃えが選択されて複数枚の原稿の複写が開始して原稿サイズと原稿方向を検出して原稿の画像を読み取ると（ステップＳ３１〜Ｓ３５）、１枚目の原稿の画像に対しては原稿サイズと倍率より記録紙を検索するための印刷サイズを決定する（ステップＳ３６、Ｓ３７）。そして決定した印刷サイズと同サイズで、原稿の画像方向と指定されたパンチ位置より画像形成時にパンチ位置に合う方向の記録紙を選択する（ステップＳ３８）。原稿の２枚目以降から最終原稿までの場合も、まず、原稿サイズと倍率より記録紙の検索を行い印刷サイズを決定する（ステップＳ３９，Ｓ３１〜Ｓ３６，Ｓ４０）。その後、決定した印刷サイズと１枚目の原稿の画像を印刷した記録紙のサイズの主走査方向の長さと副走査方向の長さをそれぞれ比較し（ステップＳ４１）、どちらか一方または両方向の長さが同じときは、決定した印刷サイズと同サイズで同方向の記録紙を選択する（ステップＳ４２）。また、決定した印刷サイズと１枚目の原稿の画像を印刷した記録紙のサイズを比較した結果、主走査方向の長さと副走査方向の長さのいずれも異なる場合は、決定した印刷サイズを同サイズで異方向のサイズに変更し（ステップＳ４３）、再度、変更した印刷サイズと１枚目の原稿の画像を印刷した記録紙のサイズの主走査方向の長さと副走査方向の長さをそれぞれ比較する（ステップＳ４４）。この比較の結果、主走査方向の長さ又は副走査方向の長さのいずれか一方又は両方の長さが同じときは、変更した印刷サイズと同サイズで同方向の記録紙を選択する（ステップＳ４２）。また、変更した印刷サイズと１枚目の原稿の画像を印刷した記録紙のサイズの主走査方向の長さと副走査方向の長さのいずれも異なる場合は、ジョブを中止してパンチ不可であることを操作部３１に警告表示する（ステップＳ４５，Ｓ４６）。
【００３３】
このように記録紙の固定した１辺にしかパンチを行なえない後処理装置を備えた場合には、画像向きやサイズが混載している画像に対してパンチを付加した印刷を行なった場合に、出力画像の長手方向または短手方向のどちらか一方の長さが揃うように記録紙を選択するから、パンチの位置を揃えることができるとともにサイズの揃った記録紙に画像を形成することができる。また、パンチの位置が揃えない原稿の場合、ジョブを中止して警告することにより出力画像のパンチ位置がばらばらになるようなミスコピーを防ぐことができる。
【００３４】
上記実施例は綴じ代位置やページ番号等に印字位置及びパンチ位置の制御プログラムをあらかじめ制御部１００の中央制御部１０１のメモリに格納してある場合について説明したが、この位置制御プログラムを、図３のブロック図に示すように、ＩＣカードやＣＤ−ＲＯＭ，ＦＤ等の外部記憶媒体３２に格納しておき、中央制御部１０１は外部記憶媒体３２に格納した位置制御プログラムにより綴じ代作成位置や印字位置及びパンチ位置を制御するようにしても良い。また、外部記憶媒体３２から読み出したプログラムにより中央制御部１０１内のＲＯＭ（ＥＥＰＲＯＭやフラッシュメモリ）を書き換えることもできる。
【００３５】
また、上記実施例はデジタル複写機１について説明したが、図８のブロック図に示すように、制御部２００にＣＰＵやＲＯＭやＲＡＭを有し、操作部２０５や外部記憶媒体３２に接続された中央制御部２０１と、パソコン等のホスト装置と接続されたホストインタフェース２０２と、画像メモリ２０３及びエンジン部２０６の動作を制御し、印刷データをエンジン部２０６に送るエンジン制御部２０４を有し、ホスト装置３００から送られたデータを印刷するプリンタ装置２０７や複写機能とプリンタ機能及びファクシミリ機能を有するデジタル複合機にも同様に適用することができる。プリンタ装置２０７やプリンタ機能を有するデジタル複写機でホスト装置３００から送られたデータを印刷するとき、使用する記録紙のサイズ及び記録紙に対する画像の向きを示す情報は画像データとともにホスト装置３００から送られる。この送られた情報により中央制御部２０１で原稿サイズや画像の向きを検索して綴じ代位置揃え制御等の各種処理を実行すれば良い。
【００３６】
【発明の効果】
この発明は以上説明したように、原稿の画像を読み取った複数枚の画像データ又はホスト装置から送られた複数枚の画像データに付加情報として綴じ代を作成したりページ番号等の印字をしたりあるいはパンチ位置を定めて印刷するときに、１枚目の画像データに対しては、画像の向きに応じて指定された位置を付加情報作成位置として画像を形成し、２枚目以降の画像データに対しては１枚目の画像の付加情報作成位置の走査方向の長さと一致する主走査方向又は副走査方向のいずれかを付加情報作成位置として画像を形成することにより、画像向きやサイズが混載している原稿を印刷したときもサイズを揃えた適切な位置に綴じ代を作成したり、サイズを揃えた適切な位置に印字をしたりパンチを付加することができ、印刷した記録紙の管理を容易にすることができる。
【００３７】
また、２枚目以降の付加情報作成位置を定めるときに、２枚目以降の画像の主走査方向の長さが１枚目の付加情報作成位置の走査方向の長さと異なるとき、画像を回転して付加情報作成位置の走査方向の長さを１枚目の付加情報作成位置の走査方向の長さと一致させることにより、原稿の画像の向きが異なってもサイズを揃えた適切な位置に綴じ代等を作成することができる。
【００３８】
さらに、２枚目以降の画像の主走査方向又は副走査方向のいずれの長さも１枚目の付加情報作成位置の走査方向の長さと一致しないとき、画像の向きに応じて指定された位置を付加情報作成位置とすることにより、綴じ代位置や印字位置あるいはパンチ位置をユーザが望む位置に定めることができる。
【００３９】
また、画像データを印刷するときに、ステープルモード又はパンチモードが選択された場合、ページ番号等の印字位置揃えや綴じ代位置揃えを自動的に実行することにより、全ての画像の印字位置や綴じ代位置を揃えることができ、出力画像を有する記録紙をステープルやパンチにより安定して綴じることができ、誤編集を防ぐことができる。
【００４０】
さらに、記録紙の固定した１辺にしかパンチを行なえない後処理装置を備えた場合には、画像向きやサイズが混載している画像に対してパンチを付加した印刷を行なった場合に、出力画像の長手方向または短手方向のどちらか一方の長さが揃うように記録紙を選択することにより、パンチの位置を揃えることができるとともにサイズの揃った記録紙に画像を形成することができる。また、パンチの位置が揃えない原稿の場合、ジョブを中止して警告することにより出力画像のパンチ位置がばらばらになるようなミスコピーを防ぐことができる。
【００４１】
また、上記画像形成方法の制御プログラムをディスク等の記憶媒体に格納しておくことにより、既設の画像形成装置にも適用することができ、既設の画像形成装置の使い勝手を向上することができる。
【図面の簡単な説明】
【図１】この発明の実施例の構成図である。
【図２】上記実施例のエンジン部の構成図である。
【図３】上記実施例の制御部の構成を示すブロック図である。
【図４】上記実施例の動作を示すフローチャートである。
【図５】上記実施例の動作を示す説明図である。
【図６】上記実施例の他の動作を示すフローチャートである。
【図７】上記実施例でパンチ位置揃えが指定されたときの記録紙選択動作を示すフローチャートである。
【図８】他の実施例の構成を示すブロック図である。
【図９】綴じ代を指定可能な状態と指定を行わない状態を示す説明図である。
【符号の説明】
１；デジタル複写機、２；複写機本体、３；ＡＤＦ、４；自動仕分け装置、
５；原稿読取ユニット、６；書込ユニット、７；エンジン部、
８；給紙ユニット、３１；操作部、３２；外部記憶媒体、１００；制御部、
１０１；中央制御部、１０２；原稿サイズ検出手段、１０３；方向検索手段、
１０４；画像メモリ、１０５；エンジン制御部。
【図１】
0003850220.tif 000002
【図２】
0003850220.tif 000003
【図３】
0003850220.tif 000004
【図４】
0003850220.tif 000005
【図５】
0003850220.tif 000006
【図６】
0003850220.tif 000007
【図７】
0003850220.tif 000008
【図８】
0003850220.tif 000009
【図９】
0003850220.tif 000010